(57)【要約】【課題】雌端子と雄端子の接触部における接触抵抗の上昇を抑制すること。【解決手段】ジョイントコネクタは、後方から圧着端子を挿入可能なキャビティを有するハウジング１０と、ハウジング１０に前方から装着されるジョイント端子と、ハウジング１０の第１側壁１２Ａに設けられた取付孔１８に取り付けられることで、キャビティに挿入された圧着端子を抜け止めするリテーナ２０と、を備え、ハウジング１０の第１側壁１２Ａに設けられ、係合面においてキャビティに挿入された圧着端子を抜け止めするランスを有している。取付孔１８は、ハウジング１０の後端とランスとの間に設けられている。リテーナ１８とハウジング１０の第１側壁１２Ａとの境界部ＢＬの一部には、リテーナ１８と第１側壁１２Ａとの間を離間させるスリットＳが設けられている。【選択図】図３
2014186934.tif 000002
【特許請求の範囲】
【請求項１】
後方から雌端子を挿入可能なキャビティを有するハウジングと、
前記ハウジングに前方から装着される雄端子と、
前記ハウジングの一つの側壁に設けられた取付孔に取り付けられることで、前記キャビティに挿入された前記雌端子を抜け止めするリテーナと、を備え、
前記ハウジングの前記一つの側壁に設けられ、その一部に設けられた係合面において前記キャビティに挿入された前記雌端子を抜け止めするランスを有し、
前記取付孔は、前記ハウジングの後端と前記ランスとの間に設けられ、
前記リテーナと前記ハウジングの前記一つの側壁との境界部の少なくとも一部に、該リテーナと該一つの側壁との間を離間させるスリットが設けられている、ジョイントコネクタ。
【請求項２】
前記スリットは、前記境界部のうち、前記リテーナの前記前方側と前記ハウジングの前記一つの側壁との間に位置する部位に設けられている、請求項１に記載のジョイントコネクタ。
【発明の詳細な説明】
【技術分野】
【０００１】
本発明は、ジョイントコネクタに関する。
【背景技術】
【０００２】
従来、複数の端子を短絡させるジョイントコネクタとして、ハウジングに挿入された雌端子を、ランスとリテーナとによって二重に抜け止めするジョイントコネクタが知られている。このようなジョイントコネクタの一例として、例えば特許文献１に記載のジョイントコネクタが知られている。このジョイントコネクタは、後方から雌端子を挿入可能なキャビティを有するハウジングを備えている。
【０００３】
特許文献１のジョイントコネクタでは、キャビティに挿入された雌端子と係合することで、雌端子を抜け止めするランスが当該キャビティ内に設けられている。このジョイントコネクタでは、キャビティ内に挿入された雌端子がランスと係合した後、ハウジングに対してリテーナが取り付けられることで、雌端子のランスと係合する部位よりも後方の部位が当該リテーナによってさらに抜け止めされる。
【先行技術文献】
【特許文献】
【０００４】
【特許文献１】特開２０１２−１４６５２３号公報
【発明の概要】
【発明が解決しようとする課題】
【０００５】
ところで、上記の特許文献１に開示されたジョイントコネクタでは、自動車のエンジンルーム等に配されたワイヤーハーネスの幹線にハウジングが固定されることで、ランスに係合された雌端子が当該ハウジングの後方に引っ張られることがある。また、ジョイントコネクタが上記ワイヤーハーネスの幹線に固定された状態では、常温環境から高温環境に移行等することでジョイントコネクタが外部から熱の影響を受け、ハウジングの側壁が熱膨張することがある。
【０００６】
このように雌端子がハウジングの後方に引っ張られた状態でハウジングの側壁が熱膨張すると、ハウジング内における雌端子と雄端子において、ランスに係合された雌端子の端子部が大きく摺動する。その結果、ハウジング内における雌端子と雄端子において摩耗粉が多く発生し、これにより、当該雄端子と雄端子の接触部において接触抵抗が上昇するという問題があった。
【０００７】
本明細書で開示される技術は、上記の課題に鑑みて創作されたものである。本明細書で開示される技術では、雌端子と雄端子の接触部における接触抵抗の上昇を抑制することが可能なジョイントコネクタを提供することを目的とする。
【課題を解決するための手段】
【０００８】
本明細書で開示される技術は、後方から雌端子を挿入可能なキャビティを有するハウジングと、前記ハウジングに前方から装着される雄端子と、前記ハウジングの一つの側壁に設けられた取付孔に取り付けられることで、前記キャビティに挿入された前記雌端子を抜け止めするリテーナと、を備え、前記ハウジングの前記一つの側壁に設けられ、その一部に設けられた係合面において前記キャビティに挿入された前記雌端子を抜け止めするランスを有し、前記取付孔は、前記ハウジングの後端と前記ランスとの間に設けられ、前記リテーナと前記ハウジングの前記一つの側壁との境界部の少なくとも一部に、該リテーナと該一つの側壁との間を離間させるスリットが設けられている、ジョイントコネクタに関する。
【０００９】
ジョイントコネクタにおいて、ハウジングの側壁およびリテーナが熱膨張によって伸長する長さは、熱を受ける当該側壁および当該リテーナの大きさに比例する。一方、ハウジングの一つの側壁にランスが設けられ、当該一つの側壁にリテーナが取り付けられたジョイントコネクタでは、当該一つの側壁においてランスとハウジングの後端とがリテーナを介して繋がった状態となる。このような構成とされたジョイントコネクタにおいて、ランスの一部に設けられた係合面とリテーナとによって二重に抜け止めされた雌端子がハウジングの後方に引っ張られた状態でランスが熱膨張によって伸長する長さは、リテーナを含めた当該係合面とハウジングの後端との間の距離に比例する。
【００１０】
上記のジョイントコネクタでは、リテーナと上記一つの側壁との境界部の少なくとも一部にスリットが設けられることで、ランスの係合面が熱膨張によって伸長する長さは、当該係合面とスリットとの間の距離に依存することとなる。ここで、ランスの係合面とスリットとの間の距離は、ランスの係合面とハウジングの後端との間の距離よりも短いので、上記のジョイントコネクタにおいてランスの係合面が熱膨張によって伸長する長さは、スリットが設けられていない従来のジョイントコネクタよりも短いものとなる。このため、上記のジョイントコネクタでは、スリットが設けられていない従来のジョイントコネクタと比べて、ランスの係合面における熱膨張を抑制することができ、ランスの係合面の熱膨張時にハウジング内における雌端子と雄端子において、ランスに係合された雌端子の端子部が摺動する量を低減することができる。この結果、雌端子と雄端子の接触部における接触抵抗の上昇を抑制することができる。
【００１１】
前記スリットは、前記境界部のうち、前記リテーナの前記前方側と前記ハウジングの前記一つの側壁との間に位置する部位に設けられていてもよい。
この構成によると、上記境界部のうち、リテーナから視てハウジングの後方側または側方側と、上記一つの側壁と、の間に位置する部位にスリットが設けられている場合に比べて、ランスの係合面とスリットとの間の距離を短いものとすることができる。これにより、ランスの係合面における熱膨張を、スリットを設けることによって効果的に抑制することができ、雌端子と雄端子の接触部における接触抵抗の上昇を一層抑制することができる。
【発明の効果】
【００１２】
本明細書で開示される技術によれば、雌端子と雄端子の接触部における接触抵抗の上昇を抑制することが可能なジョイントコネクタを提供することができる。
【図面の簡単な説明】
【００１３】
【図１】実施形態に係るジョイントコネクタの構成部品と圧着端子とを第１側壁側から視た斜視図
【図２】ハウジングを上側から視た平面図
【図３】リテーナが取り付けられたハウジングを上側から視た平面図
【図４】ハウジングを前方から視た正面図
【図５】ジョイント端子が装着された状態のハウジングを後方から視た背面図
【図６】リテーナを上側から視た平面図
【図７】リテーナを下側から視た平面図
【図８】リテーナを前方から視た側面図
【図９】ハウジングに圧着端子を挿入する前の状態を表す図４のＡ−Ａ線断面図
【図１０】ハウジングに圧着端子を挿入した後の状態を表す図４のＡ−Ａ線断面図
【発明を実施するための形態】
【００１４】
図面を参照して、実施形態を説明する。実施形態に係るジョイントコネクタＪＣは、図示しないワイヤーハーネス上に図示しないテープによって巻き付けられて固定される。このジョイントコネクタＪＣは、図１に示すように、その後方から圧着端子（雌端子の一例）３０を挿入可能なキャビティ１１（図５参照）が内部に設けられたハウジング１０と、ハウジング１０の前方から当該ハウジング１０に装着されるジョイント端子（雄端子の一例）４０と、ハウジングの後述する第１側壁１２Ａに設けられた取付孔１８に取り付けられるリテーナ２０と、を備えている。ジョイント端子４０は、キャビティ１１に挿入された圧着端子３０同士を短絡する。リテーナ２０は、キャビティ１１に挿入された圧着端子３０を抜け止めする。以下、各構成部材において、図１の左下側を前方、右上側を後方、上側を上方、下側を下方として説明する。なお、図４ないし図１０では、上下を逆にして図示している。
【００１５】
ハウジング１０は合成樹脂製とされ、全体として扁平な箱状をなしている。キャビティ１１は、前後方向に細長い形状をなし、ハウジング１０の幅方向に４つ並んで設けられている。各キャビティ１１は、圧着端子３０の後述する接続部３１よりも一回り大きい略長方形状をなし、その後方から圧着端子３０を挿入することが可能とされている。以下では、ハウジング１０の側壁（キャビティ１１の周囲を覆う壁）１２のうち、キャビティ１１よりも上側に位置する側壁を第１側壁（一つの側壁の一例）１２Ａ、下側に配される側壁を第２側壁１２Ｂ、両側方（並列するキャビティ１１のうち、キャビティ１１の両端の両側方）に配される側壁を第３側壁１２Ｃと称する。なお、ジョイントコネクタＪＣは、第１側壁１２Ａがワイヤーハーネスの幹線に接する向きで、当該幹線に固定される。
【００１６】
図１および図２に示すように、ハウジング１０の側壁１２のうち第１側壁１２Ａには、後述するリテーナ２０を取り付けるための取付孔１８が設けられている。取付孔１８の開口はリテーナ２０の外壁２２の形状に沿った輪郭をなすとともにリテーナ２０を挿入可能な大きさとされており、取付孔１８に対してリテーナ２０をほぼ隙間なく、取り付けられるようになっている。なお、取付孔１８の後端の左右両側には、リテーナ２０の外壁２２の形状に沿った取付孔凹部１８Ａが設けられている（図２参照）。
【００１７】
ハウジング１０の第１側壁１２Ａのうち取付孔１８よりも前方側には、図９および図１０に示すように、その内面（キャビティ１１側の面）にランス１４が設けられている。ランス１４は左右方向に４つ並んだ形で設けられており、それぞれ前方に向かって片持ち状に延出している。各ランス１４は、キャビティ１１内において上下方向に弾性的に撓むことが可能とされている。各ランス１４の中腹部には、キャビティ１１の内側へ突出する（下側へ突出する）係合部１４Ａが設けられている（図９および図１０参照）。この係合部１４Ａは、その前端面が係合面１４Ｂとされている（図９および図１０参照）。各ランス１４は、係合部１４Ａにおける係合面１４Ｂが圧着端子３０の前端に設けられた被係合部３３と係合することで、キャビティ１１から当該圧着端子３０を抜け止めする。
【００１８】
ハウジング１０の第１側壁１２Ａの後端には、左右方向に延びる第１リブ１５Ａが設けられている。また、ハウジング１０の第２側壁１２Ｂの左右方向における一端には、前後方向に延びる第２リブ１５Ｂが設けられている。また、第１側壁１２Ａにおけるランス１４よりも前側には、開口部１７が設けられている。
【００１９】
圧着端子３０は、図１に示すように、導電性を有する金属板材から形成され、全体として前後方向に細長い形状をなしている。圧着端子３０の前側には、ジョイント端子４０と接続される接続部３１が設けられ、圧着端子３０の後側には、電線Ｗの端末部をかしめ付けるバレル部３２が設けられている。この、圧着端子３０は、ワイヤーハーネスを構成する電線Ｗの端末部に接続される。
【００２０】
圧着端子３０に設けられた接続部３１は、前後方向に開放した角筒状をなし、ジョイント端子４０の端子部４２が前方から挿入されて電気的に接続するようになっている。また、接続部３１には、その前端寄りの位置に、上述したようにランス１４の係合面１４Ｂと係合可能な被係合部３３が突設されている。
【００２１】
ジョイント端子４０は、導電性の金属部材をプレス加工することにより製造されるものであり、図１に示すように、帯状基部４１から互いに所定の間隔を設けて複数（実施形態では４本）の端子部４２が突出した形状をなしている。
【００２２】
ジョイント端子４０は、端子部４２を先端として（端子部４２を後側に突出させる向きで）ハウジング１０の前端に前方から装着されるようになっている。ジョイント端子４０がハウジング１０に装着された状態では、各端子部４２は、各キャビティ１１内に突出した状態となる（図９および図１０参照）。
【００２３】
ハウジング１０の前端部には、図４に示すように、ジョイント端子４０の帯状基部４１が装着される装着部１６が設けられている。装着部１６は、キャビティ１１の前方に設けられた空間であり、ハウジング１０の前方に開口している。この装着部１６は、ジョイント端子４０の板厚寸法と同等の高さ寸法を有している。また、装着部１６は、平面的には、帯状基部４１の外形に沿う長方形状をなしている。装着部１６の前端（開口縁部）は、前方に向かって装着部１６が拡幅する形状のテーパ部１６Ａとされている。
【００２４】
装着部１６の上側には、図４に示すように、弾性壁１９が設けられている。弾性壁１９は、その壁面がジョイント端子４０の装着方向に沿った壁状をなしており、上下方向から視ると、ハウジング１０の幅方向に長い略長方形状とされている。弾性壁１９の長手方向の両端縁（左右両端縁）は、ハウジング１０の第３側壁１２Ｃに連なっており、弾性壁１９の後端縁は、後述する隔壁部１３に連なって設けられている。
【００２５】
ハウジング１０の後端部には、図５に示すように、キャビティ１１の開口が設けられており、これらの開口に圧着端子３０の接続部３１が挿入されるようになっている。また、ハウジング１０の内部（側壁１２の内側）には、隣り合うキャビティ１１間を仕切る隔壁部１３が設けられている。この隔壁部１３はハウジング１０の内部を前後方向に亘って延びる形で設けられている。
【００２６】
リテーナ２０は、図６ないし図８に示すように、上側の外壁２２をなす上壁部２２Ａ、当該上壁部２２Ａの左右両端から下方に延びるともにリテーナ２０の左右両側の外壁２２をなす側壁部２２Ｂと、から構成されている。これら両側壁部２２Ｂ，２２Ｂの後端部は、ハウジングの取付孔における取付孔凹部１８Ａの形状に沿って後方に突出するリテーナ側凸部２３とされている。
【００２７】
リテーナ２０の上壁部２２Ａの後端部には、図６に示すように、内側に窪んだ二つの冶具挿入凹部２７が設けられている。上壁部２２Ａの前端部には、当該上壁部２２Ａの一部が切り欠かれることで形成された凹状のスリットＳが設けられている。また、上壁部２２Ａの内側には、前後方向に延びる複数のリテーナ側位置決めリブ２４が突設されている。このリテーナ側位置決めリブ２４の前端面は後述する抜け止め部２５とされている。
【００２８】
リテーナ２０をハウジング１０の取付孔１８に取り付ける場合、リテーナ２０の上壁部２２Ａを上側にし、リテーナ側凸部２３を取付孔凹部１８Ａに沿うように位置決めしながら、リテーナ２０を取付孔１８内に真っ直ぐに挿入する。リテーナ２０を取付孔１８内に挿入していくと、リテーナ２０の両側壁部２２Ｂ，２２Ｂの先端部（下端部）２６がキャビティ１１の内壁と干渉してそれ以上リテーナ２０が取付孔１８内に挿入されることが規制され、これにより、リテーナ２０が取付孔１８に取り付けられた状態となる。
【００２９】
リテーナ２０が取付孔１８に取り付けられた状態では、リテーナ２０の上壁部２２Ａがハウジング１０の第１側壁１２Ａから外側に突出せず、当該上壁部２２Ａの外面と当該第１側壁１２Ａの外面とが平坦な面を構成する（図３および図１０参照）。また、この状態において、キャビティ１１内では、リテーナ２０のリテーナ側位置決めリブ２４とハウジング１０の隔壁部１３とが対向する。また、リテーナ２０は取付孔１８に対してほとんど隙間なく、取り付けられるため、リテーナ２０が取付孔１８から脱落し難いものとなっている。なお、リテーナ２０が取付孔１８から取り外す場合、リテーナ２０の上壁部２２Ａに形成された冶具挿入凹部２７に工具等を引っ掛けて手前側に引くことで、リテーナ２０を取り外すことができる。
【００３０】
ここで、リテーナ２０の前面に設けられたスリットＳは、当該リテーナ２０の上面から上記抜け止め部２５にかけて形成されるともに、左右方向に沿って延びる形で形成されている。また、このスリットＳは、リテーナ２０の一部が前方から後方に向かってわずかに切り欠かれることで形成されている。このため、リテーナ２０が取付孔１８に取り付けられた状態では、リテーナ２０とハウジング１０の第１側壁１２Ａとの境界部ＢＬの一部において、リテーナ２０とハウジング１０の第１側壁１２Ａの間がスリットＳによって離間される。なお、本明細書において、リテーナ２０とハウジング１０の第１側壁１２Ａとの境界部ＢＬとは、リテーナ２０とハウジング１０の第１側壁１２Ａに設けられた取付孔１８の開口との接触部をいうものとする。
【００３１】
リテーナ２０が取付孔１８に取り付けられた状態では、リテーナ２０の上壁部２２Ａの外面とハウジングの第１側壁１２Ａの外面とを一つの平坦面として視たときに、図３に示すように、当該平坦面上にスリットＳによって開口が形成される。この開口は、図３に示すように、ハウジング１０に対して圧着端子３０が挿入される方向（前後方向）と直交する方向、即ち左右方向に沿って細長く延びる形状となっている。
【００３２】
図３に示すように、リテーナ２０が取付孔１８に取り付けられた状態では、スリットＳは、リテーナ２０とハウジング１０の第１側壁１２Ａとの間の境界部ＢＬのうち、リテーナ２０の前方側と第１側壁１２Ａとの間に位置する部位に設けられた形となっている。また、リテーナ２０が取付孔１８に取り付けられた状態において、本実施形態では、具体的には、図１０に示すように、ハウジング１０の後端とランス１４の係合面１４Ｂとの間の長さＬ１が１６ｍｍとされており、スリットＳとランス１４の係合面１４Ｂとの間の長さＬ２が５ｍｍとされている。
【００３３】
続いて、ジョイント端子４０が装着されたハウジング１０に対して圧着端子３０を挿入するときの態様について説明する。まず、ジョイント端子４０が装着されたハウジング１０（図５参照）に対してリテーナ２０を仮係合する。このリテーナ２０の仮係合では、図９に示すように、リテーナ２０の抜け止め部２５（図８参照）がキャビティ１１内にはみ出ない位置まで当該リテーナ２０を取付孔１８内に挿入する。この仮係合の状態では、リテーナ２０がキャビティ１１内に挿入される圧着端子３０と干渉しないので、圧着端子３０をキャビティ１１内に挿入することができる。
【００３４】
次に、リテーナ２０が仮係合されたハウジング１０に対して、圧着端子３０をハウジング１０の後端からキャビティ１１内に挿入する。すると、圧着端子３０の被係合部３３にランス１４の係合部１４Ａが乗り上がり、ランス１４が外側へと弾性的に撓む。そして、圧着端子３０をキャビティ１１内にさらに挿入することで圧着端子３０の被係合部３３がランス１４よりも前方に位置すると、ランス１４の係合部１４Ａが圧着端子３０の被係止部３３から離れ、撓んでいたランス１４が弾性復帰して自然状態に戻る。これにより、図１０に示すように、ランス１４の係合面１４Ｂが圧着端子３０の被係止部３３の後端面３３Ａと対向した状態となり、圧着端子３０がランス１４の係合面１４Ｂに係合される。
【００３５】
次に、図１０に示すように、リテーナ２０の上壁部２２Ａがハウジング１０の第１側壁１２Ａと同一平面上に位置するようにリテーナ２０を取付孔１８に挿入し、リテーナ２０を本係合する。これにより、リテーナ２０の抜け止め部２５が相手側端子３０における接続部３１の後端面３１Ａと対向した状態となる。このため、図１０に示す状態で、圧着端子３０が後方へ引っ張られ、圧着端子３０の被係合部３３がランス１４の係合面１４Ｂから外れた場合でも、端子部３１の後端面３１Ａが上記抜け止め部２５と干渉することとなるため、圧着端子３０が抜け止めされる。即ち、本実施形態のジョイントコネクタＪＣは、キャビティ１１内に挿入された圧着端子３０をランス１４とリテーナ２０とによって二重に抜け止め可能な構成とされている。
【００３６】
さて、ジョイントコネクタでは、ハウジング１０の側壁１２およびリテーナ２０が熱膨張によって伸長する長さは、熱の影響を受ける当該側壁１２および当該リテーナ２０の大きさに比例する。ここで、ハウジング１０の第１側壁１２Ａにランス１４が設けられるとともに当該第１側壁１２Ａにリテーナ２０が取り付けられるジョイントコネクタでは、当該第１側壁１２Ａにおいてランス１４とハウジング１０の後端とがリテーナ２０を介して繋がった状態となる。従って、圧着端子３０がランス１４の係合部１４Ａに設けられた係合面１４Ｂとリテーナ２０の抜け止め部２５とによって二重に抜け止めされる構成とされたジョイントコネクタにおいて、ランス１４の係合面１４Ｂが熱膨張によって伸長する長さは、リテーナ２０を含めた当該係合面１４Ｂとハウジング１０の後端との間の距離に比例する。
【００３７】
ここで、図１０に示す状態とされた本実施形態のジョイントコネクタＪＣは、ハウジング１０がワイヤーハーネスの幹線上に固定されることで、圧着端子３０が後方へ引っ張られることがある。圧着端子３０が後方へ引っ張られると、ランス１４の係合面１４Ｂが圧着端子３０の被係合部３３の後端面３３Ａに引っ掛かり、圧着端子３０がそれ以上後方へ移動することが規制される。このように規制された状態において、ハウジングの側壁におけるランスとハウジングの後端との間の部位がリテーナを介して連なった構成とされた従来のジョイントコネクタでは、外部から熱の影響を受けると、熱膨張によって当該部位およびリテーナがその全域に亘って伸長するため、ハウジング内における圧着端子とジョイント端子において、ランスに係合された圧着端子の端子部が大きく摺動することとなる。
【００３８】
これに対し、本実施形態のジョイントコネクタＪＣでは、スリットＳが設けられることによって、外部から熱の影響を受けると、当該第１側壁１２Ａにおいて、スリットＳを挟んだ両部位がそれぞれ熱膨張によって伸長することとなる。即ち、外部から熱を受けると、ハウジング１０の第１側壁１２Ａにおいて、スリットＳより後方側の部位、即ちリテーナ２０およびリテーナ２０より後方側に位置する第１側壁１２Ａの部位が熱膨張によって伸長するとともに、スリットＳより前方側の部位、即ちリテーナ２０より前方側に位置する第１側壁１２Ａの部位が熱膨張によって伸長する。
【００３９】
このため、ハウジング１０およびリテーナ２０の熱膨張に伴ってランス１４に係合された圧着端子３０の被係合部３３が摺動する距離は、ランス１４の係合面１４ＢとスリットＳとの間の距離Ｌ２（図１０参照）に依存する。従って、本実施形態のジョイントコネクタＪＣにおいて、ハウジング１０およびリテーナ２０の熱膨張に伴って上記被係合部３３が摺動する距離は、ハウジング１０の第１側壁１２Ａにおいて、ランス１４の係合面１４Ｂとハウジング１０の後端との間がリテーナ２０を介して連なった構成とされた従来のジョイントコネクタと比べて、大きく低減されることとなる。
【００４０】
以上のように実施形態に係るジョイントコネクタＪＣでは、ランス１４の係合面１４Ｂとハウジング１０の後端との間に取り付けられたリテーナ２０にスリットＳが設けられることで、ランス１４の係合面１４Ｂが熱膨張によって伸長する長さは、ランス１４の係合面１４ＢとスリットＳとの間の距離に依存することとなる。ここで、ランス１４の係合面１４Ｂとリテーナ２０のスリットＳとの間の距離は、ランス１４の係合面１４Ｂとハウジング１０の後端との間の距離よりも短いので、本実施形態のジョイントコネクタＪＣにおいてランス１４の係合面１４Ｂが熱膨張によって伸長する長さは、スリットＳが設けられていない従来のジョイントコネクタよりも短いものとなる。
【００４１】
このため、本実施形態のジョイントコネクタＪＣでは、スリットＳが設けられていない従来のジョイントコネクタと比べて、ランス１４の係合面１４Ｂにおける熱膨張を抑制することができ、ハウジング１０およびリテーナ２０の熱膨張時に、ハウジング１０内において圧着端子３０とジョイント端子４０において、ランス１４に係合された圧着端子３０の被係合部３３が摺動する量を低減することができる。この結果、圧着端子３０とジョイント端子４０の接触部において接触抵抗が上昇することを抑制することができる。
【００４２】
また、本実施形態のジョイントコネクタＪＣでは、スリットＳが、上記境界部ＢＬのうち、リテーナ２０の前方側とハウジング１０の第１側壁１２Ａとの間に位置する部位に設けられている。このような構成とされていることで、上記境界部ＢＬのうち、リテーナ２０から視てハウジング１０の後方側または側方側と、第１側壁１２Ａと、の間に位置する部位にスリットＳが設けられている場合に比べて、ランス１４の係合面１４ＢとスリットＳとの間の距離を短いものとすることができる。これにより、ランス１４の係合面１４Ｂにおける熱膨張を、スリットＳを設けることによる第１側壁１２Ａの欠落によって効果的に抑制することができ、圧着端子３０とジョイント端子４０の接触部における接触抵抗の上昇を一層抑制することができる。
【００４３】
＜他の実施形態＞
本発明は上記既述及び図面によって説明した実施形態に限定されるものではなく、例えば次のような実施形態も本発明の技術的範囲に含まれる。
（１）上記の実施形態では、リテーナ側にスリットが設けられた構成を例示したが、これに限定されない。ハウジング側にスリットが設けられた構成であってもよいし、リテーナ側とハウジング側の両者にスリットが設けられた構成であってもよい。
【００４４】
（２）上記の実施形態では、リテーナ側に１つのスリットが設けられた構成を例示したが、複数のリテーナが設けられた構成であってもよい。
【００４５】
（３）上記の実施形態では、スリットの開口が圧着端子の挿入される方向と直交する方向に沿って延びる形状とされた構成を例示したが、スリットの開口の形状は限定されない。
【００４６】
（４）上記の実施形態では、スリットが、上記境界部のうち、リテーナの前方側とハウジングの第１側壁との間に位置する部位に設けられた構成を例示したが、スリットは、上記境界部における他の部位に設けられていてもよく、スリットの配置は限定されない。
【００４７】
（５）上記の実施形態では、リテーナの一部が切り欠かれることでスリットが形成された構成を例示したが、スリットは外側に開口する構成であればよく、これに限定されない。例えばスリットが、リテーナやハウジングの第１側壁を貫通する形で設けられた構成であってもよい。
【００４８】
（６）上記の実施形態以外にも、スリットの数、形状、配置、構成等については、適宜に変更可能である。
【００４９】
（７）上記の実施形態以外にも、リテーナの形状、ハウジングに対する取付位置、構成等については、適宜に変更可能である。
【符号の説明】
【００５０】
１０…ハウジング
１２Ａ…第１側壁
１４…ランス
１４Ａ…係合部
１４Ｂ…係合面
２０…リテーナ
２２…上壁部
３０…圧着端子
３３…被係合部
４０…ジョイント端子
ＪＣ…ジョイントコネクタ
Ｓ…スリット
【図１】
2014186934.tif 000003
【図２】
2014186934.tif 000004
【図３】
2014186934.tif 000005
【図４】
2014186934.tif 000006
【図５】
2014186934.tif 000007
【図６】
2014186934.tif 000008
【図７】
2014186934.tif 000009
【図８】
2014186934.tif 000010
【図９】
2014186934.tif 000011
【図１０】
2014186934.tif 000012